(57)【要約】【課題】石抜き選別部を小型化して、全体構成も小型化することが可能な籾摺選別機を提供する。【解決手段】揺動選別部Cは、粗雑面からなる選別板１７を揺動可能に傾斜して配設するとともに、選別板１７の揺動方向の傾斜高位側を玄米領域、傾斜低位側を籾領域、その中間を混合米領域に形成し、各領域間を仕切る籾仕切板２２及び玄米仕切板２３を設ける一方、玄米仕切板２３の更に傾斜高位側には、玄米領域を小石等の異物が混在する玄米小石領域に区分するための石仕切板２４を設け、各領域の下方には、籾排出樋２９、混合米排出樋３１、玄米排出樋３２及び玄米小石排出樋３５をそれぞれ設ける構成とし、玄米小石排出樋３５は石抜き選別部Dを介して玄米昇降機３４に連絡する一方、玄米排出樋３２は、玄米を直接機外に取り出すよう、石抜き選別部Dを迂回させる通路３９により玄米昇降機３４に連絡した。【選択図】図１
2008253909.tif 000002
【特許請求の範囲】
【請求項１】
一対の脱ぷロールを備えた脱ぷ部と、該脱ぷ部で脱ぷされた摺米を風選する風選部と、該風選部で風選された摺米を揺動選別する揺動選別部と、前記脱ぷ部の処理能力又は前記揺動選別部の処理能力のほぼ半分の処理能力を有し、前記揺動選別部の直下に配置される石抜き選別部と、前記揺動選別部及び石抜き選別部により選別された玄米を機外に取り出す玄米昇降機とを一体的に配設した籾摺選別機であって、
前記揺動選別部は、粗雑面からなる選別板を揺動可能に傾斜して配設するとともに、該選別板の揺動方向の傾斜高位側を玄米領域、傾斜低位側を籾領域、その中間を混合米領域に形成し、各領域間を仕切る籾仕切板及び玄米仕切板を設ける一方、該玄米仕切板の更に傾斜高位側には、前記玄米領域を小石等の異物が混在する玄米小石領域に区分するための石仕切板を設け、前記各領域の下方には、籾排出樋、混合米排出樋、玄米排出樋及び玄米小石排出樋をそれぞれ設ける構成とし、
該玄米小石排出樋は前記石抜き選別部を介して玄米昇降機に連絡する一方、前記玄米排出樋は、玄米を直接機外に取り出すように前記石抜き選別部を迂回させて玄米昇降機に連絡したことを特徴とする籾摺選別機。
【請求項２】
前記揺動選別部の玄米排出口には、前記玄米領域から落下する米粒を、前記玄米排出樋から排出させるか、又は前記混合米排出樋に循環させるかを切換える第一切換弁を設けるとともに、前記玄米小石排出口には、前記玄米小石領域から落下する小石等の異物が混在する米粒を、前記玄米小石排出樋から排出させるか、又は前記第一切換弁上を滑流させた後、前記混合米排出樋に循環させるかを切換える第二切換弁を設けてなる請求項１記載の籾摺選別機。
【発明の詳細な説明】
【技術分野】
【０００１】
本発明は、一対の脱ぷロールを備えた脱ぷ部、該脱ぷ部で脱ぷされた摺米を風選する風選部、該風選部で風選された籾と玄米からなる摺米を揺動選別する揺動選別部及び該揺動選別部の後工程に配設した石抜き選別部を備えた籾摺選別機に関する。
【背景技術】
【０００２】
一対の脱ぷロールを備えた脱ぷ部、該脱ぷ部で脱ぷされた摺米を風選する風選部、該風選部で風選された籾と玄米からなる摺米を揺動選別する揺動選別部及び該揺動選別部の後工程に配設した石抜き選別部を備えた籾摺選別機は周知である（例えば、特許文献１乃至３参照）。
【０００３】
このような石抜き選別部を備えた籾摺選別機にあっては、揺動選別部から選別後の玄米が石抜き選別部に供給され、該石抜き選別部の選別盤の下方から上方へ向けて送給される選別風の噴風作用および選別盤の揺動作用により、大きくて重い小石は選別盤の傾斜上方へ移送され、小さくて軽い玄米は選別盤の傾斜下方へ移送されて選別・分離が行われ、選別盤の傾斜下方へ移送された玄米は、揚穀搬送部によって機外へ取り出され、選別盤の傾斜上方へ移送された小石は、石溜め容器等に収容されて機外へ除去されることになる。
【０００４】
しかしながら、上記のように揺動選別部から選別後の玄米を全て石抜き選別部に供給する構成にすると、脱ぷ部や揺動選別部の処理能力とほぼ同等の処理能力を有する大型の石抜き選別部を配設する必要があり（例えば、６インチ型の籾摺選別機の場合、玄米で2,100〜2,700[kg／ｈ]の処理能力があり、これとほぼ同等の処理能力の石抜き選別部が必要）、籾摺選別機の全体構成が大型化するといった問題点があった。
【０００５】
【特許文献１】特開平４−３４６８７６号公報
【特許文献２】特開平４−３４９９７８号公報
【特許文献３】特開平４−３５４５６７号公報
【発明の開示】
【発明が解決しようとする課題】
【０００６】
本発明は上記問題点にかんがみ、石抜き選別部を小型化して、全体構成も小型化することが可能な籾摺選別機を提供することを技術的課題とする。
【課題を解決するための手段】
【０００７】
上記課題を解決するため本発明は、一対の脱ぷロールを備えた脱ぷ部と、該脱ぷ部で脱ぷされた摺米を風選する風選部と、該風選部で風選された摺米を揺動選別する揺動選別部と、前記脱ぷ部の処理能力又は前記揺動選別部の処理能力のほぼ半分の処理能力を有し、前記揺動選別部の直下に配置される石抜き選別部と、前記揺動選別部及び石抜き選別部により選別された玄米を機外に取り出す玄米昇降機とを一体的に配設した籾摺選別機であって、前記揺動選別部は、粗雑面からなる選別板を揺動可能に傾斜して配設するとともに、該選別板の揺動方向の傾斜高位側を玄米領域、傾斜低位側を籾領域、その中間を混合米領域に形成し、各領域間を仕切る籾仕切板及び玄米仕切板を設ける一方、該玄米仕切板の更に傾斜高位側には、前記玄米領域を小石等の異物が混在する玄米小石領域に区分するための石仕切板を設け、前記各領域の下方には、籾排出樋、混合米排出樋、玄米排出樋及び玄米小石排出樋をそれぞれ設ける構成とし、該玄米小石排出樋は前記石抜き選別部を介して玄米昇降機に連絡する一方、前記玄米排出樋は、玄米を直接機外に取り出すように前記石抜き選別部を迂回させて玄米昇降機に連絡する、という技術的手段を講じた。
【０００８】
また、請求項２記載の発明によれば、前記揺動選別部の玄米排出口には、前記玄米領域から落下する米粒を、前記玄米排出樋から排出させるか、又は前記混合米排出樋に循環させるかを切換える第一切換弁を設けるとともに、前記玄米小石排出口には、前記玄米小石領域から落下する小石等の異物が混在する米粒を、前記玄米小石排出樋から排出させるか、又は前記第一切換弁上を滑流させた後、前記混合米排出樋に循環させるかを切換える第二切換弁を設ける、という技術的手段を講じた。
【発明の効果】
【０００９】
揺動選別部の選別板に適量の摺米が供給されると、揺上側から揺下側にかけて、小石等の異物が混在する玄米、玄米、籾と玄米の混合米および籾の各層に偏析されて選別が行われる。このとき、玄米小石排出樋から排出される小石等の異物が混在する玄米は、後工程の小型の石抜き選別部に供給されて小石と玄米とに分離・選別された後、玄米が玄米昇降機を介して機外に取り出される。一方、玄米排出樋から排出される玄米は、石抜き選別部を迂回させて玄米昇降機から直接機外に取り出されるので、後工程の石抜き選別部は処理能力の小さい小型の石抜き選別部を採用することができ、籾摺選別機の全体構成を小型化することが可能となる。
【００１０】
また、玄米排出口には第一切換弁を、前記玄米小石排出口には第二切換弁をそれぞれ設けて、籾摺開始直後等、選別が不安定であるときは、玄米排出口及び玄米小石排出口を閉鎖して混合米排出樋に誘導させて循環させ、選別が安定した際には、玄米排出口及び玄米小石排出口を開放する操作をすれば、揺動選別部における各領域ごとに選別精度を高めて各排出樋から米粒等を排出することができる。
【発明を実施するための最良の形態】
【００１１】
本発明者らは、揺動選別部において、玄米に混在して処理される粒径３ｍｍ以下の小石が、玄米領域の約半分の幅に偏析されて濃縮されることを見出し（図３の×印を付けたように。揺上側に分布する。）、この領域の玄米のみを抽出して石抜き選別部に通過させれば、処理能力の小さい小型の石抜き選別部を採用することが可能であり、ひいては籾摺選別機の全体構成の小型化が可能であると考えた。
【００１２】
図１は本発明の実施形態に係る籾摺選別機の概略正面図であり、図２は同籾摺選別機の概略平面図であり、図３は同籾摺選別機の揺動選別部を部破断した概略斜視図である。
【００１３】
図１乃至図３を参照して本実施形態の籾摺選別機１を具体的に説明すると、籾摺選別機１は、一対の脱ぷロールを備えた脱ぷ部Aと、該脱ぷ部Aで脱ぷされた摺米を風選する風選部Ｂと、該風選部Ｂで風選されて籾殻が除かれた摺米（籾、玄米、小石等の異物からなる混合物）を揺動選別する揺動選別部Ｃと、該揺動選別部Ｃの後工程にあって、前記脱ぷ部Aの処理能力又は前記揺動選別部Cの処理能力のほぼ半分の処理能力（例えば、脱ぷ部Aの処理能力が玄米で2,100〜2,700[kg／ｈ]であった場合、1,050〜1,350[kg／ｈ]の処理能力）を有する小型の石抜き選別部Ｄを一体的に配設した構成となっている。
【００１４】
脱ぷ部Ａは、原料籾を供給する供給ホッパー２、その下方に配置される一対の脱ぷロール３，３、該脱ぷロール３，３に至る供給流路に設けた開閉シャッター４，流量調節弁５、及び繰り込みロール６等を備えている。
【００１５】
そして、風選別Ｂは、複数の棚板７によって形成される風選室８、該風選室８に連通して籾殻等を機外に排出する吸引排塵ファン９、前記風選室８下部に横設された、摺米移送用の摺米スクリュー１０、該摺米スクリュー１０のコンベアケース１１、前記風選室８中段部に横設された、未熟米移送用の未熟米スクリュー１２、該未熟米スクリューの移送終端部に設けられる未熟米等を排出する２番口１３等を備えている。
【００１６】
また、風選部Ｂと揺動選別部Ｃとの間には、摺米を揚送するバケットエレベータ１４が立設されており、該バケットエレベータ１４下部の供給樋１４ａは、前記摺米スクリュー１０移送終端側のコンベアケース１１を接続する一方、バケットエレベータ１４上部の吐出部１４ａには、スプリング（図示せず）によって上下動可能な吊タンク１５を吊設する。該吊タンク１５は前記前記流量調節弁５と連動させるように構成すれば、籾摺作業中に吊タンク１５に次第に摺米が溜まってくると、吊タンク１５のオーバーフローを防止するために、流量調節弁５を閉方向に回動させ、脱ぷロール３，３への原料籾の供給量を制限するよう制御することができる。符号１６は、吊タンク１５下端に突設した吊タンク排出樋である。
【００１７】
さらに、揺動選別部Ｃについて説明すると、例えば、多数の凹凸部を有する粗雑面から形成された選別板１７…を機枠１８内で多段に重設し、これを揺動機構（図示せず）に取り付けて揺動自在に斜設したものであり、該揺動選別部Ｃに供給された摺米は、摩擦係数および比重、粒の大きさ、形状などの違いにより、籾、玄米、籾と玄米の混合物、小石等の異物と玄米との混合物に偏析されて選別が行われる。この揺動選別部Ｃは選別板１７の高位（図１では機枠１８の右辺）側を揺上側となし、選別板１７の低位（図１では機枠１８の左辺）側を揺下側となし、選別板１７の傾斜上方（図２では符号１８で示す四角形の上辺）側を供給部１９となし、選別板１７の傾斜下方（図２では符号１８で示す四角形の下辺）側を排出部２０となす。そして、前記摺米の供給部１９には、前記選別板１７…と一体で揺動される均分器２１を機枠１８に取り付ける一方、前記排出部２０には、揺下側から揺上側に向かう方向に、籾仕切板２２、玄米仕切板２３及び石仕切板２４を順次設けて４分割し、籾領域、玄米領域、混合米領域、玄米小石領域に形成する。そして、各領域の下方には、籾排出口２５、混合米排出口２６、玄米排出口２７及び玄米小石排出口２８をそれぞれ形成するとともに、籾排出樋２９、混合米排出樋３１、玄米排出樋３２、玄米小石排出樋３５を設ける構成とする。なお、前記籾仕切板２２及び玄米仕切版２３は揺動方向に移動可能になっているが、石仕切板２４は固定式である。
【００１８】
そして、前記籾排出樋２９は返り籾用スロワー３０に連絡するとともに、混合米排出樋３１は風選部８下部の摺米スクリュー１０に連絡し、さらに、玄米小石排出樋３５は石抜き選別機Ｄを介して玄米昇降機３４に連絡する一方、前記玄米排出樋３２は石抜き選別部Ｄを迂回させて玄米昇降機３４に連絡する構成となっている。
【００１９】
すなわち、石抜き選別部Dは、多数の噴風孔が穿設された石抜き選別盤３６、該石抜き選別盤３６傾斜下方に突設した精品排出樋３７、石抜き選別盤３６傾斜上方に突設した異物排出樋３８、該石抜き選別盤３６を揺動させる揺動機構（図示せず）、及び前記石抜き選別盤３６下方に設けた噴風用ファン４０等を備えた構成であり、前記玄米小石排出樋３５の樋端は、石抜き選別機Ｄの石抜き選別盤３６上に接続し、精品排出樋３７からは玄米移送スクリュー３３を介して玄米昇降機３４に接続している。一方、前記玄米排出樋３２の樋端は、石抜き選別部Ｄを迂回させる通路３９及び玄米移送スクリュー３３を介して玄米昇降機３４に接続している。前記玄米移送スクリュー３３の供給側は集合ホッパー４１に形成してあり、該集合ホッパー４０に前記精品排出樋３７及び通路３９を接続すると、玄米を集合させて機外に排出させることができる。符号４２は石抜き選別部Ｄの異物排出樋３８下方に設置した石溜め容器である。
【００２０】
前記揺動選別部Ｃの玄米排出口２７には、玄米領域から落下する米粒を、玄米排出樋３２から排出させるか、又は混合米排出樋３１に循環させるかを切換える第一切換弁４３を設けるとともに、前記玄米小石排出口２８には、玄米小石領域から落下する小石等の異物と玄米からなる混合物を、玄米小石排出樋３５から排出させるか、又は第一切換弁３６上を滑流させた後、混合米排出樋３１に循環させるかを切換える第二切換弁４４が設けられている。
【００２１】
以下、上記構成における作用を図１乃至図３を参照しながら説明する。作業者は籾摺作業に先立って、あらかじめ原料籾から藁屑、木屑、大きな石屑等の粗大異物を取り除いておく必要があり、例えば、目視により除去したり、回転可能な粗選別金網からなる粗選別機に供給したりして、粒径が３ｍｍよりも大きな粗大異物を除去することが望ましい。
【００２２】
次に、粗選した原料籾を供給ホッパー２に投入し、籾摺作業を開始する。このとき、揺動選別部Ｃの第一切換弁４３及び第二切換弁４４を混合米排出樋３１へ循環させるよう、玄米排出口２７及び玄米小石排出口２８を閉鎖するように位置させておく。そして、供給ホッパー２内の籾は一対の脱ぷロール３，３に供給されて脱ぷが行われ、玄米、脱ぷしきれなかった籾及び籾殻からなる摺米となる。
【００２３】
摺米は次いで風選部Ｂに供給され、吸引排塵ファン９による吸引風により風選室８内での風選が行われ、比重の軽い籾殻は吸引排塵ファン９により機外へ排出される一方、籾殻より重い玄米及び籾は傾斜下方へ流下して摺米スクリュー１０及びバケットエレベータ１４を経て吊タンク１５に貯留される。一方、比重の軽い未熟粒は未熟米スクリュー１２へ滑落して、2番口１３から機外へ取り出されることになる。そして、吊タンク１５にある程度摺米が溜まった時点で、吊タンク排出樋１６内に設けられた排出口が一定開度開き、摺米が均分器２１を介して揺動選別部Ｃの各選別板１７に供給されることになる。
【００２４】
揺動選別部Ｃの各選別板１７に適量の摺米が供給されると、図３の符号Ｗで示すように揺動運動が付与され、揺上側から揺下側にかけて、小石等の異物と玄米との混合物、玄米、籾と玄米の混合米及び籾の各層に偏析され、それぞれ、玄米小石排出口２８、玄米排出口２７、混合米排出口２５及び籾排出口２５に排出される。そして、籾は籾排出樋２９、返り籾用スロワー３０を経て脱ぷロール３，３に供給されて再脱ぷされる一方、混合米は摺米とともに摺米スクリュー１０及びバケットエレベータ１４によって吊タンク１５に還流される。
【００２５】
ところで、籾摺開始直後は選別が不安定であるので、玄米排出口２７が第一切換弁４３により閉鎖され、玄米小石排出口２８が第二切換弁４４により閉鎖されているので、籾摺開始直後の玄米は混合米排出樋３１に導かれて吊タンク１５に還流され、同様に小石等の異物と玄米との混合物も混合米排出樋３１に導かれて吊タンク１５に還流されることになる。
【００２６】
そして、籾摺開始から適時経過すると選別が安定してくるので、第一切換弁４３及び第二切換弁４４を開放して、玄米排出樋３２から玄米が排出するように位置させるとともに、玄米小石排出樋３５から小石等の異物の混在する米粒が排出するように位置させる。
【００２７】
玄米小石排出樋３５から流下する小石等の異物の混在する玄米が、石抜き選別部Ｄの石抜き選別盤３６上に供給されると、石抜き選別盤３６の揺動運動と噴風用ファン４０からの選別風の噴出により、比重の大きい小石は傾斜上方へ、比重の小さい玄米は傾斜下方にそれぞれ分離・選別される。このようにして選別分離された玄米は、精品排出樋３７、玄米移送スクリュー３３及び玄米昇降機３４により揚穀されて機外に取り出されるとともに、小石は異物排出樋３８を介して石溜め容器に落下収容される。
【００２８】
一方、玄米排出樋３２から排出される玄米は、石抜き選別部Ｄに供給することなく、通路３９によって迂回させ、玄米移送スクリュー３３及び玄米昇降機３４により揚穀して機外に取り出される構成とする。これにより、従来技術に開示しているように、揺動選別後の玄米を全て石抜き選別部に供給するのではなく、小石等の混入がほとんどない玄米領域を直接機外に取り出すことができるので、脱ぷ部や揺動選別部の処理能力とほぼ同等の大型の石抜き選別部を配設する必要はなく、籾摺選別機の全体構成を小型化することが可能となる。
【図面の簡単な説明】
【００２９】
【図１】本発明の籾摺選別機の概略正面図である。
【図２】同籾摺選別機の概略平面図である。
【図３】同籾摺選別機の揺動選別部を一部破断した概略斜視図である。
【符号の説明】
【００３０】
１  籾摺選別機
２  供給ホッパー
３  脱ぷロール
４  開閉シャッター
５  流量調節弁
６  繰り込みロール
７  棚板
８  風選室
９  吸引排塵ファン
１０  摺米スクリュー
１１  コンベアケース
１２  未熟米スクリュー
１３  ２番口
１４  バケットエレベータ
１５  吊タンク
１６  吊タンク排出樋
１７  選別板
１８  機枠
１９  供給部
２０  排出部
２１  均分器
２２  籾仕切板
２３  玄米仕切板
２４  石仕切板
２５  籾排出口
２６  混合米排出口
２７  玄米排出口
２８  玄米小石排出口
２９  籾排出樋
３０  返り籾用スロワー
３１  混合米排出樋
３２  玄米排出樋
３３  玄米移送スクリュー
３４  玄米昇降機
３５  玄米小石排出樋
３６  石抜き選別盤
３７  精品排出樋
３８  異物排出樋
３９  通路
４０  噴風用ファン
４１  集合ホッパー
４２  石溜め容器
４３  第一切換弁
４４  第二切換弁
【図１】
2008253909.tif 000003
【図２】
2008253909.tif 000004
【図３】
2008253909.tif 000005